(57)【要約】【課題】本発明は、簡素な構成及び工程で、光源部が台座から透光部に向かって脱落しない光源ユニット、灯具、及びそれらを備えた照明装置を提供することを目的とする。【解決手段】本発明に係る光源ユニットは、基板の一面に発光素子が実装され、一面の発光素子が実装されない領域と一面の反対側の他面とを繋ぐ基板貫通部が形成された光源部と、光源部が配置される台座主部を有し、台座主部の他面と対向する第１面の基板貫通部に対応した領域と第１面の反対側の第２面とを繋ぐ台座貫通部が形成された台座と、第２面に配置され、第２面に沿って滑動しながら台座主部に係着する係着部、及び、第２面の側から基板貫通部と台座貫通部とに挿通された状態で滑動に伴い基板貫通部を移動し、係着部が台座主部に係着した状態で基板の基板貫通部以外の領域と第２面と交差する方向に重なる保持部を有する基板保持具とを備える。【選択図】          図７
2020161441.tif 000002
【特許請求の範囲】
【請求項１】
基板の一面に発光素子が実装されるとともに、前記基板に、前記一面における前記発光素子が実装されない領域と前記一面の反対側である他面とを繋ぐ基板貫通部が形成された光源部と、
前記光源部が配置される台座主部を有するとともに、前記台座主部に、前記台座主部の前記他面と対向する第１面における前記基板貫通部に対応した領域と前記第１面の反対側である第２面とを繋ぐ台座貫通部が形成された台座と、
前記第２面に配置される基板保持具であり、前記第２面に沿って滑動することによって前記台座主部に係着する係着部、及び、前記第２面の側から前記基板貫通部と前記台座貫通部とに挿通された状態で前記滑動に伴い前記基板貫通部を移動し、前記係着部が前記台座主部に係着した状態で前記基板における前記基板貫通部以外の領域と前記第２面と交差する方向に重なる保持部を有する基板保持具と
を備えた光源ユニット。
【請求項２】
前記基板貫通部は、
前記基板保持具の前記滑動の方向に沿うように前記基板の端辺が切り欠かれてなる請求項１に記載の光源ユニット。
【請求項３】
前記基板貫通部は、
前記基板保持具の前記滑動の長さに対応して前記基板の端辺が切り欠かれてなる請求項１又は請求項２に記載の光源ユニット。
【請求項４】
基板の一面に発光素子が実装されるとともに、前記基板に、前記一面における前記発光素子が実装されない領域と前記一面の反対側である他面とを繋ぐ基板貫通部が形成された光源部と、
前記光源部が配置される台座主部を有するとともに、前記台座主部に、」前記台座主部の前記他面と対向する第１面における前記基板貫通部に対応した領域と前記第１面の反対側である第２面とを繋ぐ台座貫通部が形成された台座と、
前記第２面に配置される基板保持具であり、前記第２面に沿って滑動することによって前記台座主部に係着する係着部、及び、前記第２面の側から前記基板貫通部と前記台座貫通部とに挿通された状態で前記基板が前記第２面に沿って滑動することに伴い前記基板貫通部との相対位置が変わり、前記係着部が前記台座主部に係着した状態で前記基板における前記基板貫通部以外の領域と前記第２面と交差する方向に重なる保持部を有する基板保持具と
を備えた光源ユニット。
【請求項５】
前記基板貫通部は、
前記基板の前記滑動の方向に沿うように前記基板の端辺が切り欠かれてなる請求項４に記載の光源ユニット。
【請求項６】
前記基板貫通部は、
前記基板の前記滑動の長さに対応して前記基板の端辺が切り欠かれてなる請求項４又は請求項５に記載の光源ユニット。
【請求項７】
前記基板貫通部は、
前記保持部が挿通する方向視における前記保持部の形状に対応して前記基板の端辺が切り欠かれてなる請求項１から請求項６の何れか一項に記載の光源ユニット。
【請求項８】
前記基板保持具は、
前記係着部と前記保持部とが一体に形成されている請求項１から請求項７の何れか一項に記載の光源ユニット。
【請求項９】
前記基板保持具は、
前記係着部と一体に形成されるとともに、光源部を照明器具に着脱自在に装着するために、前記第２面に配置される連結具を備える請求項１から請求項８の何れか一項に記載の光源ユニット。
【請求項１０】
前記基板保持具は、
前記係着部と一体に形成されるとともに前記第２面に配置され、前記光源部に点灯電力を供給するための電線が保持される電線保持具を備える請求項１から請求項８の何れか一項に記載の光源ユニット。
【請求項１１】
前記基板保持具は、
前記係着部と一体に形成されるとともに前記第２面に配置され、前記光源部に供給される点灯電力を生成する電源回路が収容される電源ケースを備える請求項１から請求項８の何れか一項に記載の光源ユニット。
【請求項１２】
請求項１から請求項１１の何れか一項に記載の光源ユニットと、
透光性を有し、前記第１面を覆うように前記台座に取り付けられる透光部と
を備えた灯具。
【請求項１３】
請求項１２に記載の灯具と、
被取付部に取り付けられた状態で、前記灯具が着脱自在に装着される器具と
を備えた照明装置。
【発明の詳細な説明】
【技術分野】
【０００１】
本発明は、光源ユニット、灯具及び照明装置に関する。
【背景技術】
【０００２】
従来、天井などの造営部に取り付けられる直付けタイプの照明器具が提案されており、例えば、特許文献１に開示されている。特許文献１に記載された照明器具は、ＬＥＤが実装される基板と、板金により形成され、基板が取り付けられる長尺状の取付面と、基板を前記取付面側に押圧して固定するかしめ部とを有する取付部材とを備え、器具本体に取り付けられる光源ユニットが用いられており、かしめ部は、取付部材の一部を切り起こすことで形成され、基板の幅方向における両側で且つ基板の長辺に沿って設けられており、かしめ部において基板の短辺と反対側の部位をＬＥＤ側に折り曲げることで基板が取付部材に固定されることを特徴としている。
【先行技術文献】
【特許文献】
【０００３】
【特許文献１】特開２０１４−１１６２９９号公報
【発明の概要】
【発明が解決しようとする課題】
【０００４】
しかしながら、特許文献１に記載された照明器具に用いられている光源ユニットにおいて、基板の幅方向における両側で且つ基板の長辺に沿って設けられたかしめ部は予め一部を切り起こす複雑な構成を要し、また、基板を取付部材に固定するために切り起こされたかしめ部をＬＥＤ側に折り曲げる複雑な工程を要するという課題があった。
【０００５】
本発明は、上記の課題に鑑みてなされたものであり、簡素な構成及び工程でありながら、光源部が台座から透光部に向かって脱落しない光源ユニット、灯具、及びそれらを備えた照明装置を提供することを目的とする。
【課題を解決するための手段】
【０００６】
本発明に係る光源ユニットは、基板の一面に発光素子が実装されるとともに、前記基板に、前記一面における前記発光素子が実装されない領域と前記一面の反対側である他面とを繋ぐ基板貫通部が形成された光源部と、前記光源部が配置される台座主部を有するとともに、前記台座主部に、前記台座主部の前記他面と対向する第１面における前記基板貫通部に対応した領域と前記第１面の反対側である第２面とを繋ぐ台座貫通部が形成された台座と、前記第２面に配置される基板保持具であり、前記第２面に沿って滑動することによって前記台座主部に係着する係着部、及び、前記第２面の側から前記基板貫通部と前記台座貫通部とに挿通された状態で前記滑動に伴い前記基板貫通部を移動し、前記係着部が前記台座主部に係着した状態で前記基板における前記基板貫通部以外の領域と前記第２面と交差する方向に重なる保持部を有する基板保持具とを備える。
【０００７】
また、本発明に係る光源ユニットは、基板の一面に発光素子が実装されるとともに、前記基板に、前記一面における前記発光素子が実装されない領域と前記一面の反対側である他面とを繋ぐ基板貫通部が形成された光源部と、前記光源部が配置される台座主部を有するとともに、前記台座主部に、前記台座主部の前記他面と対向する第１面における前記基板貫通部に対応した領域と前記第１面の反対側である第２面とを繋ぐ台座貫通部が形成された台座と、前記第２面に配置される基板保持具であり、前記第２面に沿って滑動することによって前記台座主部に係着する係着部、及び、前記第２面の側から前記基板貫通部と前記台座貫通部とに挿通された状態で前記基板が前記第２面に沿って滑動することに伴い前記基板貫通部との相対位置が変わり、前記係着部が前記台座主部に係着した状態で前記基板貫通部以外の領域と前記第２面と交差する方向に重なる保持部を有する基板保持具とを備える。
【発明の効果】
【０００８】
本発明に係る光源ユニットは、上記のように構成されたので、簡素な構成及び工程でありながら、光源部が台座から透光部に脱落せず、長期に渡って光源部を確実に保持することができる。
【図面の簡単な説明】
【０００９】
【図１】本実施の形態に係る照明装置の斜視図である。
【図２】本実施の形態に係る照明装置を器具と灯具とに分割した分割斜視図である。
【図３】本実施の形態に係る灯具の斜視図である。
【図４】本実施の形態に係る灯具の分解斜視図である。
【図５】本実施の形態に係るバネ受具を説明する斜視図である。
【図６】本実施の形態に係るバネ受具の特徴を説明する斜視図である。
【図７】本実施の形態に係るバネ受具の特徴を説明する断面図である。
【発明を実施するための形態】
【００１０】
本発明の実施の形態に係る照明装置の構成について、図面を参照して説明する。なお、各図面では各構成部材の大きさの関係が実際のものとは異なる場合がある。また、各図面において、同一の符号を付したものは、同一、またはこれに相当するものであり、これは明細書の全文において共通することとする。そして、同一、またはこれに相当するものは、説明の繰り返しを省略する場合がある。
【００１１】
以下の実施の形態の説明において、上、下、左、右、前、後、表、裏といった向き、或いは位置が示されている場合がある。これらの表記は、説明の便宜上、そのように記載されており、装置、器具、或いは部品などの配置、方向、或いは向きを限定するものではない。明細書全文に記載されている構成要素の形態は、あくまで例示であって、これらの記載された形態に限定されるものではない。
【００１２】
実施の形態．
本実施の形態に係る照明装置１は、照明装置１が備える灯具３、或いは光源ユニット３０における、光源部３１の保持に特徴がある。
【００１３】
本実施の形態に係る照明装置１が備える光源ユニット３０は、基板３１１の一面である実装面３１２に発光素子３１０が実装されるとともに、基板３１１に、実装面３１２における発光素子３１０が実装されない領域と実装面３１２の反対側の他面である非実装面３１３とを繋ぐ基板貫通部３１４が形成された光源部３１と、光源部３１が配置される台座主部３２０を有するとともに、台座主部３２０に、台座主部３２０の非実装面３１３と対向する第１面３２１における基板貫通部３１４に対応した領域と第１面３２１の反対側である第２面３２２とを繋ぐ台座貫通部である保持部通過孔が形成された台座３２と、第２面３２２に配置される基板保持具としてのバネ受具３６とを備え、バネ受具３６は、第２面３２２に沿って滑動することによって台座主部３２０に係着する係着部３６３、及び、第２面３２２の側から保持部通過孔と基板貫通部３１４とに挿通された状態で滑動に伴い基板貫通部３１４を移動し、係着部３６３が台座主部３２０に係着した状態で基板３１１における基板貫通部３１４以外の領域と第２面３２２と交差する方向に重なる基板保持部３７０を有しているので基板保持具として機能する。
【００１４】
また、バネ受具３６は、第２面３２２に沿って滑動することによって台座主部３２０に係着する係着部３６３、及び、第２面３２２の側から保持部通過孔と基板貫通部３１４とに挿通された状態で基板３１１が第２面３２２に沿って滑動することに伴い基板貫通部３１４との相対位置が変わり、係着部３６３が台座主部３２０に係着した状態で基板３１１における基板貫通部３１４以外の領域と第２面３２２と交差する方向に重なる基板保持部３７０を有しているので基板保持具として機能する。
【００１５】
＜照明装置１の構成＞
図１及び図２を参照して、本実施の形態に係る照明装置１の全体の構成を説明する。
【００１６】
図１は、本実施の形態に係る照明装置１の斜視図である。図２は、本実施の形態に係る照明装置１を器具２と灯具３とに分割した分割斜視図である。
【００１７】
以下の説明において、照明装置１の長手方向に沿った方向を長手方向Ｘ、長手方向Ｘに直交し長手方向Ｘに対する短手方向を短手方向Ｙ、長手方向Ｘ及び短手方向Ｙの何れとも直交する方向を上下方向Ｚとする。また、上下方向Ｚにおいて、照明装置１が取り付けられる造営部９の側（すなわち天井、壁などの被取付部側）への向きを上向きＺ１とし、上向きＺ１と反対側への向きであり照明装置１から光が照射される照射空間側への向きを下向きＺ２とする。なお、上向きＺ１は、灯具３が器具２に取り付けられる向きであり、下向きＺ２は、灯具３が器具２から取り外される向きである。
【００１８】
図１、図２に示すように、本実施の形態に係る照明装置１は、天井、壁などの造営部９に設置される器具２と、器具２に設けられた灯具装着部２１に対して着脱自在に装着される灯具３とを備える。本実施の形態では、一例として長尺形状の照明装置１を用いて説明するがこれに限定されるものではない。
【００１９】
＜器具２の構成＞
器具２は、ボルト（図示は省略）などの固定具を用いて天井、壁などの造営部９に対して固定される、所謂直付けタイプの灯具取付用の照明器具である。器具２は、灯具３の少なくとも一部が収容されて装着される灯具装着部２１が形成された器具本体２０と、器具本体２０の端部に取り付けられ、長手方向Ｘにおける灯具装着部２１の端部を覆う器具端部２３とを備える。また、器具２は、器具配線具２５として器具電線２５０と器具電線２５０の一端が接続される端子台２５２とを備える。端子台２５２には、器具２の外部から引き込まれた電源線（図示は省略）が接続される。そして、器具２は、灯具装着部２１に灯具３を装着するためのバネ２４を備える。
【００２０】
（器具本体２０）
器具本体２０は、長手方向Ｘに沿って延設される灯具装着部２１を形成する３面である、矩形形状をなす器具底面部２１０と、器具底面部２１０の長手方向Ｘに沿った側辺のそれぞれから起立する一対の器具側面部２１４とを有する。一対の器具側面部２１４は、下向きＺ２に沿って形成されており、互いに対向している。灯具装着部２１における器具底面部２１０の反対側の対向する部分には、器具底面部２１０に対応した矩形状の開口２１６が形成されている。上下方向Ｚに沿う灯具装着部２１の断面は、照射空間側が開口した凹形状である。一対の器具側面部２１４の下端は本体下端２１５であり、後述する端部下端２３２とともに開口縁部を構成する。
【００２１】
器具本体２０は、一対の器具側面部２１４の下端から、短手方向Ｙにおける外側、且つ造営部９の側に向かって、すなわち斜め上方に向かって形成される傾斜部２２を有する。傾斜部２２は、短手方向Ｙにおける灯具装着部２１の両側に長手方向Ｘに渡って延設されている。傾斜部２２は灯具３から照射される光の一部を照射空間側に反射する反射部として機能する。
【００２２】
本実施の形態では、器具本体２０は、金属材料からなる板材を折り曲げたり、金属材料を押し出したりして形成される。
【００２３】
器具底面部２１０には、複数の貫通孔２１１が形成されている。本実施の形態では、商用電源から電力供給を受けるための電源線（図示は省略）を灯具装着部２１内部に引き込む配線孔、器具２を造営部９に固定するためのボルトなどの固定具（図示は省略）を挿通させる固定孔などが、器具底面部２１０を貫通する貫通孔２１１として形成されている。
【００２４】
（器具端部２３）
器具端部２３は、長手方向Ｘにおける灯具装着部２１の両端を覆うように長手方向Ｘにおける器具本体の両端に取り付けられ、器具底面部２１０、器具側面部２１４、及び傾斜部２２の両端部と当接している。開口縁部である端部下端２３２には、長手方向Ｘにおける灯具３の端部が当接する。
【００２５】
本実施の形態では、器具端部２３は、金属材料からなる板材が折り曲げられて形成される。器具端部２３は、複数の照明装置１を長手方向Ｘに連結設置する場合に送り電線の挿通が行えるように、端部主部２３０の一部に開放自在のノックアウト２３１が形成されてもよい。
【００２６】
（バネ２４）
バネ２４は、長手方向Ｘに沿って対になるように、灯具装着部２１の器具底面部２１０にネジなどの固定具（図示は省略）を用いて固定されている。バネ２４は、ステンレス材料、バネ鋼材などの金属材料を用いて弾性変形するように形成される。バネ２４は、灯具装着部２１に灯具３を装着するための連結機構を構成する器具２の側の連結具であり、後述する灯具３のバネ受具３６と係合するように、器具底面部２１０におけるバネ受具３６対応した位置に配設されている。バネ２４は、後述する灯具３が備えるバネ受具３６とともに照明装置１の連結機構を構成する器具２の側の連結具である。
【００２７】
（器具配線具２５）
器具配線具２５は、器具電線２５０と器具電線２５０の一端が接続される端子台２５２とを備える。
【００２８】
端子台２４３は、灯具装着部２１の器具底面部２１０にネジなどの固定具（図示は省略）を用いて固定されている。端子台２４３には、器具底面部２１０に形成された配線用の貫通孔２１１から灯具装着部２１の内部に引き込まれた電源線、信号線（何れも図示は省略）といった電線が接続される。また、器具電線２４０は、器具電線２４０の他端に設けられた器具電線コネクタ２４１を介して後述する灯具３の灯具電線４１０と接続される。器具配線具２４は、商用電源などの外部電源から灯具３に供給される電力、或いは灯具３の点灯電力を制御するための制御信号を伝送する経路である。
【００２９】
なお、照明装置１を長手方向Ｘに連結して設置した場合には、隣接する照明装置に電力や制御信号を伝送するための送り電線が接続され、この場合、灯具装着部２１の内部には、送り電線も配設される。
【００３０】
＜灯具３の構成＞
図１及び図２に加え、図３から図７を参照して本実施の形態に係る灯具３の構成を説明する。
【００３１】
図３は、本実施の形態に係る灯具３の斜視図であり、図２における灯具３の斜視図とは斜視方向が異なる。図４は、本実施の形態に係る灯具の３の分解斜視図である。
図５は、本実施の形態に係るバネ受具３６を説明する斜視図で、図５（ａ）は照射側からの斜視図で、図５（ｂ）は器具側からの斜視図であり台座３２への取り付けを説明する図である。図６は、本実施の形態に係るバネ受具３６の特徴を説明する斜視図である。図７は、本実施の形態に係るバネ受具３６の特徴を説明する断面図で、図７（ａ）は、バネ受具３６を台座３２に係着させる前の準備状態を、図７（ｂ）は、バネ受具３６を台座３２に係着させる工程に移行可能となっている状態を、図７（ｂ）は、バネ受具３６を台座３２係着させる工程が完了した状態を、それぞれ示している。
【００３２】
図２、図３に示すように、灯具３は、光源部３１、台座３２、バネ受具３６、制御装置３８、灯具配線具４１、電線保持具４０、及び透光部であるカバー７０を備える。光源部３１、台座３２、及びバネ受具３６は、本実施の形態における光源ユニット３０を構成する、灯具３は長尺形状に形成されている。灯具３は、器具２に形成された灯具装着部２１の内部に一部が収納された状態で、器具２に取り付けられる。
【００３３】
（光源部３１）
光源部３１は、基板３１１と基板３１１に実装される発光素子３１０とからなる。基板３１１は長手方向Ｘに沿った長尺形状であり、矩形状に形成されている。基板３１１は、ガラス・エポキシ基板、ガラス・コンポジット基板、紙エポキシ基板、紙フェノール基板、金属ベース基板などを用いることができる。
【００３４】
基板３１１には、長手方向Ｘに沿って列状に複数の発光素子３１０が配置されている。本実施の形態では、発光素子３１０として発光ダイオード（Ｌｉｇｈｔ  Ｅｍｉｔｔｉｎｇ  Ｄｉｏｄｅ；以下、ＬＥＤと称す。）素子が用いられる。発光素子３１０は、波長が４４０〜４８０〔ｎｍ〕の青色光を出射するＬＥＤチップ上に青色光を黄色光に波長変換する蛍光体を配してパッケージ化された面実装部品である疑似白色ＬＥＤ素子が用いられ、基板３１１の一面である実装面３１２に面実装されている。
【００３５】
実装面３１２、或いは実装面３１２の反対側の他面である非実装面３１３には、導電性材料からなる配線パタン（図示は省略）が敷設されており、発光素子３１０と配線パタンとが電気的に接続されて光源回路が形成される。後述する制御装置３８から基板３１１に点灯電力が供給されると発光素子３１０が点灯する。
【００３６】
基板３１１の少なくとも実装面３１２は、反射率が高い高反射タイプのレジストを用いて、実装面３１２を高反射面としている。高反射タイプのレジストは、例えば白色である。実装面３１２には、高反射タイプのレジストに限らず、他の反射部材が、塗布、印刷、蒸着などの方法によって直接設けられてもよい。また、基板３１１とは別部材である反射部材が実装面３１２に貼合されてもよい。
【００３７】
基板３１１は、発光素子３１０が長手方向Ｘに沿うように、そして、非実装面３１３を第１面３２１に当接させるように、後述する台座３２に設置される。基板３１１は、接着剤、粘着シートなどの接着部材６０を用いて、非実装面３１３を第１面３２１に接着固定されて設置されてもよい。
【００３８】
基板３１１の実装面３１２は、台座３２と当接した状態で、発光素子３１０の動作熱を台座３２へ伝達する熱伝達面となる。
【００３９】
基板３１１の、発光素子３１０が配置されていない、短手方向Ｙにおける基板３１１の両端側には、基板貫通部３１４が設けられている。基板貫通部３１４は、長手方向Ｘに沿った基板３１１の端辺の一部が切り欠かれた切欠き部である。本実施の形態では、基板貫通部３１４は短手方向Ｙにおける外側が開放された切欠き部として形成されているが、基板貫通部３１４は周囲が閉塞した貫通孔として形成されてもよい。
【００４０】
基板貫通部３１４は、基板３１１が台座３２に設置された状態で台座貫通部に対応した位置に形成される。詳しくは、いずれも後述する第１係合孔３２３１及び基板保持部通過孔３２３２が台座貫通部であり、基板３１１は、台座貫通部と基板貫通部３１４とが重なるように台座３２に設置される。
【００４１】
本実施の形態では、基板貫通部３１４は、後述するバネ受具３６が装着される位置に対応して形成されている。これは、基板３１１が台座３２に設置されている状態で、バネ受具３６が備える基板保持部３７０が基板貫通部３１４の内部を貫通方向に挿通し、この状態から、基板保持部３７０が基板貫通部３１４の内部を貫通方向と交わる第２面３２２に沿った方向に滑動するためである。
【００４２】
つまり、基板貫通部３１４は、基板保持部３７０が挿通する方向視において基板保持部３７０の形状に対応して形成される挿通部３１５と、基板保持部３７０が滑動する方向に沿って基板保持部３７０が滑動する距離（長さ）に対応して形成される滑動部３１６とからなり、挿通部３１５と滑動部３１６とは、基板保持部３７０が滑動する方向である長手方向Xに沿って連続して配置されている。
【００４３】
なお、バネ受具３６が台座３２に係着されている状態、つまりバネ受具３６が備える基板保持部３７０が基板貫通部３１４に挿通されている状態で、基板３１１を第２面に沿って滑動させながら台座３２に設置する場合には、基板貫通部３１４は、基板３１１が滑動する方向に沿って基板３１１が滑動する距離（長さ）に対応して形成される。
【００４４】
（台座３２）
台座３２は、長手方向Ｘに沿って延設され、矩形形状の平板である台座主部３２０と、短手方向Ｙにおける台座主部３２０の端部から台座主部３２０と交差する方向に沿って立設する台座側部３３０とを備える。
【００４５】
台座３２は、鉄、アルミニウムなどの金属材料を用いて形成される。台座３２は、金属材料からなる板材を折り曲げたり、金属材料を押し出したりして形成される。台座３２は、長手方向Ｘと交わる断面形状が略コの字形状であり、長手方向Ｘに沿って延設されている。
【００４６】
灯具３が器具２の灯具装着部２１に装着された状態で、台座主部３２０の第１面３２１は照射側に面しており、後述するカバー７０のカバー支持部７０４と対向する。そして、第１面３２１の反対の側である第２面３２２は器具２の側に面しており、器具２の器具底面部２１０と対向する。
【００４７】
台座主部３２０には、基板３１１が設置される。詳しくは、基板３１１は、非実装面３１３を第１面３２１に当接させるようにして台座主部３２０に設置される。この際、基板３１１は、実装面３１２に実装された発光素子３１０が、カバー７０のカバー主部７０１と対向するように台座主部３２０に設置される。
【００４８】
また、台座主部３２０には、何れも後述する、バネ受具３６、制御装置３８、及び、電線保持具４０が設置される。詳しくは、バネ受具３６、制御装置３８、及び、電線保持具４０は、何れも、台座主部３２０における第２面３２２に設置されている。そして、台座主部３２０には、３２４バネ受具取付部３２３、制御装置取付部３２６、及び電線保持具取付部３２４が形成されており、バネ受具３６、制御装置３８、及び、電線保持具４０は、各取付部に対して、何れも、第２面に沿って滑動する工程を経て取り付けられている。
【００４９】
台座３２は、光源部３１、或いは制御装置３５の動作熱を受熱し、灯具３から外部にこの熱を放散させるヒートシンクとして機能する。台座主部３２０の第１面３２１は、基板３１１と当接した状態で、発光素子３１０の動作熱を基板３１１から伝達される熱伝達面となる。
【００５０】
台座側部３３０は、短手方向Ｙにおける台座主部３２０の両端を基端部３３１として器具２の側、つまり上向きＺ１に向かって立設している。基端部３３１の反対の側の先端部３３２は、後述するカバー７０が取り付けられる係合部であり、短手方向Ｙにおける内側にカール状の加工が施されている。
【００５１】
（バネ受具３６）
図５及び図６に示すように、バネ受具３６は、器具２が備えるバネ２４が係合するバネ係合部３７１が形成された連結主部３７０、バネ受具３６を支持部３１の台座主部３２０に固定するために連結主部３７０と一体に形成された係着部３６３、及び基板保持部３７０を備える。灯具３は、バネ受具３６と器具２が備えるバネ２４とが係り合い（係合し）連結することによって、器具２の灯具装着部２１に装着される。バネ受具３６は、器具２が備えるバネ２４とともに照明装置１の連結機構を構成する灯具３の側の連結具である。
【００５２】
本実施の形態では、２つのバネ受具３６が、台座主部３２０の第１面３２１の長手方向Ｘにおける両端部側にそれぞれ配置される。バネ受具３６は、係着部３６３を、バネ受具取付部３２３に係着することによって支持部３１に取り付けられる。
【００５３】
詳しくは、バネ受具取付部３２３は、台座主部３２０に形成されたブリッジ部３２３０、ブリッジ部の切り起こし孔である第１係合孔３２３１、２つの第２係合孔３２３３、及び移動規制部３２３３からなる。そして、係着部３６は、第１係合孔３２３１に挿通された状態でブリッジ部３２３０と係合する第１係合部３６４、２つの第２係合孔３２３３に挿通された状態で台座主部３２０と係合する２つの第２係合部３６５、及び移動規制部３２３３と係合する係止部３６６からなる。第１係合部３６４、及び２つの第２係合孔３２３３はバネ受具３６の上下方向Ｚの移動を規制し、係止部３６６はバネ受具３６の滑動方向（長手方向Ｘ）の移動を規制する。
【００５４】
２つの第２係合孔３２３３は、第２係合部３６５の挿抜が可能である挿通部３２３５と、第２係合部３６５の挿抜が不可能であり、バネ受具３６を滑動させる向きに挿通部３２３５から連続して形成された滑動部３２３６とからなる。２つの第２係合部３６５は、挿通部３２３５に挿通された状態で台座主部３２０の第２面よりも照射側に配置されており、この状態でバネ受具３６を滑動することに伴い第２係合部３６５は滑動部３２３６に移動するため台座主部３２０と係合する。
【００５５】
第１係合部３６４は、上下方向Ｚにおける連結主部３６０の下端からバネ受具３６を装着する向きに起立して形成されている。第２係合部３６５は、短手方向Ｙにおける連結主部３６０の両端から連結主部３６０と交差する方向に沿って形成された連結側部３６２の下端に形成されている。係止部３６６は、第１係合部３６４における連結主部３６０の側の端部に形成されている。
【００５６】
第１係合部３６４における連結主部３６０と反対側の端部には、２つの基板保持部３７０が形成されている。２つの基板保持部３７０は、それぞれ接続部３７１と基板対向部３７２とからなる。接続部３７１は、第１係合部３６４の先端部から下向きに起立して形成されており、基板対向部３７２は、上下方向Ｚにおける接続部３７１の下端からバネ受具３６を装着する向きに起立して形成されている。
【００５７】
接続部３７１は、上下方向Ｚの長さ寸法が支持部の厚さ寸法と基板の厚さ寸法との加算値よりも大きくなるように形成される。２つの基板保持部３７０が光を遮ることがないように、上下方向Ｚに沿った接続部３７１の長さ寸法は、基板対向部３７２が基板３１１と接触しない程度に極力小さい寸法であることが好ましい。基板対向部３７２は、バネ受具３６がバネ受具取付部３２３に係着した状態で、少なくとも一部が基板３１１と対向する形状と寸法で形成される。
【００５８】
バネ受具３６は、器具２が備えるバネ２４に対応する位置に配置される。つまり、バネ受具３６は、器具２が備えるバネ２４に対応して、長手方向Ｘにおける灯具３の一方の端部側に配置されてもよいし、長手方向Ｘにおける灯具３の両方の端部側に配置されてもよい。なお、バネ受具３６、及びバネ受具３６に対応して器具２が備えるバネ２４は、灯具制御装置３８、電線保持具４０などと接触しない位置を選択して配置する。
【００５９】
図７を参照して、バネ受具３６が支持部３１のバネ受具取付部３２３に対して係着される過程を説明する。なお、図７において、台座３２の移動規制部３２３３と第２係合孔３２３４、及びバネ受具３６の係止部３６６と第２係合部３６５は図示を省略している。
【００６０】
図７（ａ）に示すように、準備として、まず、バネ受具３６の２つの基板保持部３７０をバネ受具取付部３２３の基板保持部挿通孔３２３２の位置に合わせる。次に、バネ受具３６を矢印Ｐの向きに移動して、基板保持部３７０を基板保持部挿通孔３２３２に挿通させる。
【００６１】
図７（ｂ）に示すように、第１係合部３６４が台座３２の第２面３２２に当接した状態で基板保持部３７０の挿通が完了する。すなわち係着の準備が完了する。この時点で基板対向部３７２は基板３１１の実装面３１２よりも照射側に配置されている。この状態から、バネ受具３６を第２面３２２に沿って、矢印Ｓの向きに滑動させる。
【００６２】
バネ受具３６が第２面３２２に沿って滑動することに伴い、第１係合部３６４は第１係合孔３２３１に差し込まれ、ブリッジ部３２３０と係合する状態となる。台座３２に形成された第１係合孔３２３１と基板３１１に形成された移動部３１６とは、上下方向Ｚに重なるように配置されており、バネ受具３６が第２面３２２に沿って滑動することに伴い、基板保持部３７０は第１係合孔３２３１及び移動部３１６を移動する。つまり、台座３２に形成された第１係合孔３２３１と基板３１１に形成された移動部３１６とは、ともに基板保持部３７０の移動部である。基盤保持部３７０は、移動の際に台座３２及び基板３１１と接触しない。なお、図示は省略するが、第１係合部３６４がブリッジ部３２３０と係合する状態となっているとき、第２係合部３６５は第２係合孔３２３４に挿通した状態で台座３２と係合している。
【００６３】
図７（ｃ）に示すように、基板保持部３７０が、第１係合孔３２３１或いは移動部３１６の終端に当接した状態でバネ受具３６の滑動は終了する。この状態で、基板対向部３７２は基板３１１と上下方向Ｚに沿って重なるように、基板３１１の実装面３１２よりも照射側に配置される。
【００６４】
このように、バネ受具３６が台座３２に係着されることによって、基板保持部３７０は、基板３１１をカバー７０の側へ脱落しないように保持できる状態となる。図示は省略するが、バネ受具３６の滑動が終了した状態では、係止部３６６が移動規制部３２３３と係合しており、バネ受具３６の台座３２への係着が完了する。
【００６５】
（制御装置３８）
制御装置３８は、商用電源などの外部電源から端子台２４３を介して供給される電力から発光素子３１０を点灯させる点灯電力に変換して光源部３１に供給する制御ユニット３８０（図示は省略）と、制御装置３８の外郭部であり、制御ユニット３８０を収容する制御ユニット収容具３８１とを備える。
【００６６】
制御ユニット収容具３８１は、互いに嵌着される、収容具本体部３８２と収容具蓋部３９０とを備える。収容具本体部３８２は、台座３２と制御ユニット３８０との間に配置され、台座主部３２０と対向する矩形状の本体底部３８３、本体底部３８３の周縁部から器具側に向かって起立した本体周壁部３８４を備える。長手方向Ｘにおける本体底部３８３の一方の端部には差込片３８５が、他方の端部にはネジ穴が形成された固定部３８６（図示は省略）がそれぞれ設けられている。収容具蓋部３９０は、制御ユニット３８０を間にして本体底部３８３の反対側に配置される蓋底部３９１と、蓋底部３９１の周縁部から台座３２の側に向かって起立した蓋周壁部３９２とを備える。制御ユニット収容具３８１は、例えば、鉄、アルミニウムなどの金属材料からなる板材を折り曲げて形成される。
【００６７】
本実施の形態では、制御装置３８は、台座主部３２０に形成された制御装置取付部３２６に取付けられる。制御装置取付部３２６は、台座主部を切り起こして形成された差込部３２６０とネジ穴３２６２が形成された固定部３８６１とを備えている。制御装置３８は、第２面３２２に沿って滑動させながら差込片３８５を差込部３２６０に差し込み、第１面３２１から第２面３２２に向かって固定部３８６１のネジ孔３２６２に挿通されるネジ５０を、収容具本体部３８２に設けられたネジ孔（図示は省略）にねじ込むことによって台座主部３２０の第２面３２２に固定される。
【００６８】
（灯具配線具４１）
第１面３２１のうち、バネ受具３６、制御装置３８、及び、後述する電線保持具４０が設置されていない領域には、灯具配線具４１である灯具電線４１０、給電線４１２などが配置される。
【００６９】
灯具電線４１０は、灯具電線４１０の先端に設けられた灯具電線コネクタ４１１を介して器具２の器具電線２５０と接続される。灯具電線４１０は、商用電源などの外部電源から灯具３に供給される電力、或いは灯具３の点灯電力を制御するための制御信号を伝送する経路である。
【００７０】
給電線４１２は、給電線４１２の先端に設けられた給電線コネクタ４１３が、基板３１１の非実装面３１３に接続端を配する基板コネクタ３０４と接続される。給電線４１２は、制御装置３８から点灯電力を光源部３１に伝送する経路である。
【００７１】
（電線保持具４０）
電線保持具４０は、台座主部３２０第２面３２２と対向する台座部４００、灯具配線具４１を所定の位置に保持するために、台座部４００より器具側に形成された電線保持部４０１、及び、電線保持具４０を支持部３１の台座主部３２０に固定するために、台座部４００より照射側に形成された２つの保持具係合部４０２を備える。電線保持具４０は、電気絶縁性を有する樹脂材料などを用いて一体に形成される。
【００７２】
本実施の形態では、電線保持具４０は、台座主部３２０に形成された電線保持具取付部３２４に取付けられる。電線保持具取付部３２４は、台座主部３２０を貫通して形成される２つの取付孔３２４０と台座主部３２０を部分的に器具側に突出させて形成される係止突起３２４３とを備えている。２つの取付孔３２４０は電線保持具４０の上下方向Ｚの移動を規制し、係止突起３２４３は電線保持具４０の滑動方向（長手方向Ｘ）の移動を規制する。
【００７３】
電線保持具４０は、２つの保持具係合部４０２が台座主部３２０を貫通する２つの取付孔３２４０に挿通された状態で台座主部３２０に係合することによって、電線保持部４０１が第２面３２２の側に配置されるように台座３２に取り付けられる。
【００７４】
２つの取付孔３２４０は、保持具係合部４０２の挿抜が可能である挿通部３２４１と、保持具係合部４０２の挿抜が不可能であり、電線保持具４０を滑動させる向きに挿通部３２４１から連続して形成された滑動部３２４２とからなる。２つの取付孔３２４０は、挿通部３２４１に挿通された状態で台座主部３２０の第２面よりも照射側に配置されており、この状態で保持具係合部４０２を滑動することに伴い保持具係合部４０２は滑動部３２４２に移動するため台座主部３２０と係合する。そして、電線保持具４０は、係止突起３２４３に台座部４００が係止されることよって滑動方向（長手方向Ｘ）の移動が規制された状態で台座主部３２０に固定される。
【００７５】
（端部電線保持具４５）
また、台座３２の一方の端部には端部電線保持具４５が配置される。端部電線保持具４５は、台座３２の端部を経由する給電線４１２を所定の位置に配置するとともに、給電線４１２に加わる応力を抑制して断線等の不具合を防止する。
【００７６】
（カバー７０）
カバー７０は、台座３２に対応して長手方向Ｘ沿って延設される主カバー７００と、長手方向Ｘにおける主カバー７００の両端部に取り付けられる端部カバー７０５とを備える。主カバー７００は、発光素子３１０から発せられた光を透過するカバー主部７０１と、カバー７０を台座３２に取り付けるためのカバー取付部７０２とを有する。カバー取付部７０２は、短手方向Ｙにおけるカバー主部７０１の両端部から延設して形成されている。
【００７７】
本実施の形態では、少なくとも主カバー７００のカバー主部７０１と端部カバー７０５は、透光性を有する樹脂材料などに可視光を拡散する拡散材料を添加した複合材料により形成されており、発光素子３１０から発せられる光を拡散透過する。樹脂材料は、例えば、アクリル、ポリカーボネート（ＰＣ）などを用いることができる。
【００７８】
カバー取付部７０２は、台座３２の先端部３２２に係合するカバー係合部７０３と台座３２の第１面３２１に当接した状態で台座主部３２０を支持するカバー支持部７０４とを備える。
【００７９】
本実施の形態では、カバー取付部７０２は、可視光を反射する高反射材料などの遮光材料により形成されており、発光部２１０から発せられる光を照射空間側に向け、光の利用効率を向上させる。
【００８０】
カバー７０は、台座３２の第２面３２２を覆った状態で台座３２に取り付けられる。詳しくは、カバー７０は、カバー支持部７０４が台座主部３２０を支持した状態で、カバー係合部７０３が台座３２の先端部３２２に係合することによって、台座３２に取付けられる。カバー７０は、台座３２ともに光源部３１を覆う外郭部であり、カバー７０は外郭部における透光部である。
【００８１】
＜本実施の形態の作用効果＞
以上説明したように、本実施の形態に係る照明装置１が備える光源ユニット３０は、基板３１１の一面である実装面３１２に発光素子３１０が実装されるとともに、基板３１１に、実装面３１２における発光素子３１０が実装されない領域と実装面３１２の反対側の他面である非実装面３１３とを繋ぐ基板貫通部３１４が形成された光源部３１と、光源部３１が配置される台座主部３２０を有するとともに、台座主部３２０に、台座主部３２０の非実装面３１３と対向する第１面３２１における基板貫通部３１４に対応した領域と第１面３２１の反対側である第２面３２２とを繋ぐ台座貫通部である保持部通過孔が形成された台座３２と、第２面３２２に配置される基板保持具としてのバネ受具３６とを備え、バネ受具３６は、第２面３２２に沿って滑動することによって台座主部３２０に係着する係着部３６３、及び、第２面３２２の側から保持部通過孔と基板貫通部３１４とに挿通された状態で滑動に伴い基板貫通部３１４を移動し、係着部３６３が台座主部３２０に係着した状態で基板３１１における基板貫通部３１４以外の領域と第２面３２２と交差する方向に重なる基板保持部３７０を有しているので基板保持具として機能する。このため、基板３１１が台座３２から離間した場合であっても、基板３１１はバネ受具３６が有する基板保持部３７０によって保持されるため、カバー７０に向かって脱落することはない。
【００８２】
また、バネ受具３６は、第２面３２２に沿って滑動することによって台座主部３２０に係着する係着部３６３、及び、第２面３２２の側から保持部通過孔と基板貫通部３１４とに挿通された状態で基板３１１が第２面３２２に沿って滑動することに伴い基板貫通部３１４との相対位置が変わり、係着部３６３が台座主部３２０に係着した状態で基板３１１における基板貫通部３１４以外の領域と第２面３２２と交差する方向に重なる基板保持部３７０を有しているので基板保持具として機能する。このため、基板３１１が台座３２から離間した場合であっても、基板３１１はバネ受具３６が有する基板保持部３７０によって保持されるため、カバー７０に向かって脱落することはない。
【００８３】
そして、基板貫通部３１４は、基板保持具として機能するバネ受具３６が滑動する方向に沿うように形成されている。このため、バネ受具３６の滑動、及びバネ受具３６が備える基板保持部３７０の移動が妨げられることはなく、バネ受具３６は第２面３２２に沿ってスムーズに滑動し、バネ受具３６は台座主部３２０に対して負担なく係着させることができる。
【００８４】
また、基板貫通部３１４は、基板保持具として機能するバネ受具３６が滑動する距離（長さ）に対応して形成されている。このため、バネ受具３６が台座主部３２０に係着した状態で、バネ受具３６が有する基板保持部３７０は、基板３１１における基板貫通部３１４以外の領域と第２面３２２と交差する方向に重なり、基板３１１が台座３２から離間した場合であっても、バネ受具３６が有する基板保持部３７０によって保持されるため、カバー７０に向かって脱落することはない。
【００８５】
そして、基板貫通部３１４は、基板３１１の滑動の方向に沿うように形成されている。このため、基板保持具として機能するバネ受具３６が台座主部３２０に係着した状態で、基板保持部３７０が基板３１１における基板貫通部３１４以外の領域と、第２面３２２と交差する方向に重なるように、基板３１１を滑動させることができる。つまり、基板保持具として機能するバネ受具３６を台座主部３２０に係着させた後に、基板３１１を台座３２設置することができるので、光源ユニット３０は組立手順の制約を受けない。
【００８６】
また、基板貫通部３１４は、基板３１１が滑動する距離（長さ）に対応して形成されている。このため、基板保持具として機能するバネ受具３６が台座主部３２０に係着した後に、基板３１１を滑動させ、そしてこの滑動が完了した状態で、バネ受具３６が有する基板保持部３７０は、基板３１１における基板貫通部３１４以外の領域と第２面３２２と交差する方向に重なり、基板３１１は滑動が完了した状態で台座３２から離間した場合であっても、バネ受具３６が有する基板保持部３７０によって保持されるため、カバー７０に向かって脱落することはない。
【００８７】
そして、基板貫通部３１４は、基板保持部３７０が挿入する方向視における基板保持部３７０の形状に対応して形成されている。このため、基板保持部３７０は基板保持部挿通孔３２３２への挿通が妨げられることがなく、基板保持部３７０をスムーズに基板保持部挿通孔３２３２へ挿通させることができる。
【００８８】
さらに、基板保持具として機能するバネ受具３６は、係着部３６２と基板保持部３７０とが一体に形成されている。このため、台座に係着されるバネ受具３６と基板保持具とを別々に備える必要がなく、光源ユニットは簡素な構成となるので資材コストを低減することができる。また、基板保持具として機能するバネ受具３６のみを台座に取り付ける簡素な作業となるので、製造コストを低減することができる。
【００８９】
＜変形例＞
上記の本実施の形態において、照明装置１は、反射部である傾斜部２２を備えた、所謂Ｖ字タイプの器具２を用いて説明したが、これに限らず、照明装置１は、傾斜部を備えない所謂トラフタイプ、或いは、反射笠を備えた笠付きタイプの照明装置であってもよい。
【００９０】
上記の本実施の形態において、照明装置１は、器具２を天井、壁などの造営部９に対して固定する、所謂直付けタイプの灯具取付用の照明器具であるものとして説明したが、これに限らず、照明装置１は、天井、壁などの造営部９に形成した開口に埋め込んで使用される器具を採用した、所謂埋込タイプの照明装置であってもよい。
【００９１】
本実施の形態において、器具本体２０、器具端部２３、及び支持部３１は、金属材料を用いて形成されるものとして説明したが、これに限らず、器具本体２０、器具端部２３、或いは支持部３１は、金属材料以外の材料を用いて形成されてもよく、例えば、樹脂材料、セラミック材料などを用いて形成されたものであってもよい。
【００９２】
本実施の形態において、光源部３１は、発光素子３１０としてパッケージ化された面実装型（ＳＭＤ型）のＬＥＤ素子を例示して説明したが、これに限らず、光源部３１は、複数のＬＥＤチップが基板上に直接実装され、複数のＬＥＤチップを蛍光体含有樹脂によって一括して封止した構成であるＣＯＢ（Ｃｈｉｐ  Ｏｎ  Ｂｏａｒｄ）タイプの光源部であってもよい。
【００９３】
本実施の形態において、発光素子としてＬＥＤを例示して説明したが、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（ＥｌｅｃｔｒｏＬｕｍｉｎｅｓｃｅｎｃｅ）または無機ＥＬなどの発光素子を用いてもよい。そして、発光素子の数は、複数に限らず、１つであってもよい。詳しくは、長手方向の長さが基板３１１または支持部３１の長手方向の長さと略などしい、長尺の有機ＥＬ素子１つを発光素子３１０として用い、有機ＥＬ素子の長手方向と基板３１１または支持部３１の長手方向が並行になるように配置してもよい。
【００９４】
実施の形態において、台座３２は、金属製の板材を折り曲げて形成されるものと説明したが、これに限らず、台座３２は、押出成形など他の形成方法を用いて製造されるものであってもよい。また、台座３２は、金属製以外に、樹脂材料、セラミック材料などを用いて製造されたものであってもよい。樹脂材料として、例えば、アクリル、ポリカーボネート（ＰＣ）などを用いることができる。
【００９５】
以上、本発明の実施の形態、及び変形例について説明したが、これらの実施の形態、及び変形例のうち、２つ以上を組み合わせて実施しても構わない。或いは、これらの実施の形態のうち、１つを部分的に実施しても構わない。或いは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００９６】
１  照明装置、２  器具、２０  器具本体、２１  灯具装着部、２１０  器具底面部、２１１  貫通孔、２１４  器具側面部、２１５  本体下端、２１６  開口、２２  傾斜部、２３  器具端部、２３０  端部主部、２３１  ノックアウト、２３２  端部下端、２４  バネ、２５  器具配線具、２５０  器具電線、２５１  器具電線コネクタ、２５２  端子台、３  灯具、３０  光源ユニット、３１  光源部、３１０  発光素子、３１１  基板、３１２  実装面（一面）、３１３  非実装面（他面）、３１４  基板貫通部、３１５  挿通部、３１６  移動部、３２  台座、３２０  台座主部、３２１  第１面（照射側の面）、３２２  第２面（器具側の面）、３２３  バネ受具取付部、３２３０  ブリッジ部、３２３１  第１係合孔、３２３２  基板保持部挿通孔、３２３３  移動規制部、３２３４  第２係合孔、３２３５  挿通部、３２３６  滑動部、３２４  電線保持具取付部、３２４０  取付孔、３２４１  挿通部、３２４２  滑動部、３２４３  係止突起、３２６  制御装置取付部、３２６０  差込部、３２６１  固定部、３２６２  ネジ孔、３３０  台座側部、３３１  基端部、３３２  先端部、３６  バネ受具、３６０  連結主部、３６１  バネ係合部、３６２  連結側部、３６３  係着部、３６４  第１係合部、３６５  第２係合部、３６６  係止部、３７０  基板保持部、３７１  接続部、３７２  基板対向部、３８  制御装置、３８０  制御ユニット、３８１、  制御ユニット収容具、３８２、  収容具本体部、３８３  本体底部、３８４  本体周壁部、３８５  差込片、３８６  固定部、３９０  収容具蓋部、３９１  蓋底部、３９２  蓋周壁部、４１  灯具配線具、４１０  灯具電線、４１１  灯具電線コネクタ、４１２  給電線、４１３  給電線コネクタ、４０  電線保持具、４００  台座部、４０１  電線保持部、４０２  保持具係合部、４０３  ボルト規制部、４５  端部電線保持具、５０  ネジ、６０  接着部材、７０  カバー、７００  主カバー、７０１  カバー主部、７０２  カバー取付部、７０３  カバー係合部、７０４  カバー支持部、７０５  端部カバー、９造営部。
【図１】
2020161441.tif 000003
【図２】
2020161441.tif 000004
【図３】
2020161441.tif 000005
【図４】
2020161441.tif 000006
【図５】
2020161441.tif 000007
【図６】
2020161441.tif 000008
【図７】
2020161441.tif 000009